(57)【要約】【課題】沿面距離を稼いで性能の低下を抑制したコイル部品の提供。【解決手段】導線が巻回される巻回部５０のＺ軸方向一端に設けられた端子台４０を有するボビン２０を備え、端子台４０は、一面側に導線の端部が絡げられる絡げ部を有する第二ピン端子４５Ａを有し、他面側には巻回部５０が配置され、他面に開口して軸方向と略平行な方向に延設される第一通路４１ａと、第一通路４１ａと連通して軸方向と交差する方向に延設される第二通路４２ａと、第二通路４２ａと連通して軸方向及び第二通路４２ａの延設方向と交差する第三通路４３ａとが形成され、第三通路４３ａの開口位置に掛止面が規定され軸方向と交差する方向に突出する突起部を有し、導線は、巻回部５０から第一通路４１ａ、第二通路４２ａ、第三通路４３ａを経て掛止面に掛けられて絡げ部に絡げられているコイル部品を提供する。【選択図】図２
2011216807.tif 000002
【特許請求の範囲】
【請求項１】
導線が巻回され巻回部が形成される巻胴部と、該巻胴部の軸方向一端に設けられた端子台とを有するボビンを備え、
該端子台は、一面側に該導線の端部が絡げられる絡げ部を有するピン端子が設けられ、他面側には該軸方向を該一面から該他面に向かう方向と平行になるように該巻胴部が配置され、該他面に開口して該軸方向と略平行な方向に延設される第一通路と、該第一通路と連通して該軸方向と交差する方向に延設され該一面側に位置する第二通路と、該第二通路と連通して該軸方向及び該第二通路の延設方向と交差し該ピン端子近傍位置に開口し該一面側に位置する第三通路とが形成され、該第三通路の該開口位置に該軸方向と交差する方向に突出する突起部を有し、
該突起部には、該軸方向において、該第三通路と該絡げ部との間に位置する掛止面が規定され、
該導線は、該巻回部から該第一通路、該第二通路、該第三通路を経て該掛止面に掛けられて該絡げ部に絡げられていることを特徴とするコイル部品。
【請求項２】
該第二通路は、該軸方向において、該第三通路よりも該他面側に位置していることを特徴とする請求項１に記載のコイル部品。
【請求項３】
該第三通路は、該軸方向において、該突起部よりも該他面側に位置していることを特徴とする請求項１または請求項２のいずれかに記載のコイル部品。
【発明の詳細な説明】
【技術分野】
【０００１】
本発明はコイル部品に関する。
【背景技術】
【０００２】
従来から巻回部と端子台とから構成されるボビンを備えたコイル部品が公知になっている。このコイル部品では、例えば特許文献１に示されるように、端子台に縦方向（実装面と直交する方向）に延設される溝が形成されており、巻回部から溝を通って端子に導線が導かれている。
【先行技術文献】
【特許文献】
【０００３】
【特許文献１】特開２００６−２９４８７２号公報
【発明の概要】
【発明が解決しようとする課題】
【０００４】
上述のようなコイル部品では、溶融したはんだ槽に導線が絡げられた端子を浸漬して端子と導線を電気的に継線している。この時にはんだの熱により、導線の引き回し途中である上述の溝内まで導線の被覆が破損する場合があった。この場合には、沿面距離を稼ぐことができず、絶縁不良が生じるおそれがあった。特に近年ではコイル部品の小型化、高性能化（高電圧化）が顕著なため、沿面距離の確保は重要な問題であった。よって本発明は、小型であっても沿面距離を稼ぐことができ、性能の低下を抑制したコイル部品を提供することを目的とする。
【課題を解決するための手段】
【０００５】
上記課題を解決するために本発明は、導線が巻回される巻回部と、巻回部の軸方向一端に設けられた端子台とを有するボビンを備え、端子台は、一面側に導線の端部が絡げられる絡げ部を有するピン端子が設けられ、他面側には軸方向を一面から他面に向かう方向と平行になるように巻回部が配置され、他面に開口して軸方向と略平行な方向に延設される第一通路と、第一通路と連通して軸方向と交差する方向に延設され一面側に位置する第二通路と、第二通路と連通して軸方向及び第二通路の延設方向と交差しピン端子近傍位置に開口し一面側に位置する第三通路とが形成され、第三通路の開口位置に軸方向と交差する方向に突出する突起部を有し、突起部には、軸方向において、第三通路と絡げ部との間に位置する掛止面が規定され、導線は、巻回部から第一通路、第二通路、第三通路を経て掛止面に掛けられて絡げ部に絡げられているコイル部品を提供する。
【０００６】
このような構成によると、巻回部から絡げ部までの距離を稼ぐことができるため、沿面距離を長く取ることができる。また第一通路、第二通路、第三通路はそれぞれ交差するため、第一通路と第二通路との間、及び第二通路と第三通路との間に角部を形成することができ、この角部に導線を掛止することができる。これにより、巻回部からの導線をピン端子に絡げはんだ付けをする前の状態で、導線がピン端子から外れることを抑制することができる。
【０００７】
上記構成のコイル部品において、第二通路は、軸方向において、第三通路よりも他面側に位置していることが好ましい。
【０００８】
また第三通路は、軸方向において、突起部よりも他面側に位置していることが好ましい。
【０００９】
これらのような構成によると、第一通路から第二通路、第三通路、及び突起部へと行くに従い、他面側から一面側へと導線を配置することができる。よって導線を巻回部からピン端子へと配線する際に、スムーズに配線することができる。
【発明の効果】
【００１０】
本発明のコイル部品によれば、沿面距離を稼ぐことができ、性能低下を抑制することができる。
【図面の簡単な説明】
【００１１】
【図１】本発明の実施の形態に係るコイル部品の斜視図。
【図２】本発明の実施の形態に係るコイル部品のボビンおよび導線の底面図。
【図３】本発明の実施の形態に係るコイル部品のボビンおよび導線の正面図。
【図４】本発明の実施の形態に係るコイル部品のボビンおよび導線の側面図。
【図５】本発明の実施の形態に係るコイル部品のボビンおよび導線の背面図。
【図６】本発明の実施の形態に係るコイル部品の回路図。
【図７】本発明の実施の形態に係るコイル部品の変形例に係る斜視図。
【図８】本発明の実施の形態に係るコイル部品の変形例に係るボビンの底面図。
【図９】本発明の実施の形態に係るコイル部品の変形例に係るボビンおよび導線の底面図。
【発明を実施するための形態】
【００１２】
以下、本発明の実施の形態に係るコイル部品について、図１から図６に基づき説明する。図１に示されるコイル部品１は、コイルである後述の巻回部５０の軸方向が実装面に略直交するいわゆる縦型のトランスであり、コア１０と、ボビン２０と、巻回部５０とから主に構成されている。以下の説明においては、実装面と直交する方向をＺ軸方向として定義すると共にコイル部品１から実装面に向かう方向を下方としてＺ軸方下側（一面側）、向上側（他面側）を定義する。また、後述の第一端子台３０から第二端子台４０に向かう方向をＺ軸方向と直交するＹ軸方向と定義し、軸方向、Ｙ軸方向のそれぞれに直交する方向をＸ軸方向と定義する。尚、Ｘ軸方向、Ｙ軸方向においては、図中のＸ軸方向、Ｙ軸方向を示す矢印において、矢印の原点側を一端側、矢印の先端側を他端側として説明する。
【００１３】
コア１０は、上下に二分割されそれぞれ略Ｅ字形状の略同一形状を成す第一コア１０Ａ及び第二コア１０Ｂから構成されている。第一コア１０Ａはボビン２０に形成された後述の下溝２２ａ（図４）内に挿入され、Ｅ字形状の中央が後述の貫通孔２１ａ（図２）内に挿入されている。第二コア１０Ｂはボビン２０に形成された後述の上溝２３ａ（図４）内に挿入され、Ｅ字形状の中央部分が後述の貫通孔２１ａ（図２）内に挿入されており、第一コア１０ＡのＥ字形状の先端と第二コア１０ＢのＥ字形状の先端とが当接している。この第一コア１０Ａと第二コア１０Ｂとが当接した状態で、外周にテープが巻かれてコア１０が構成され、巻回部５０周りに閉磁路が形成される。
【００１４】
ボビン２０は絶縁樹脂製であり、図３及び図４に示されるように巻胴部２１と下鍔部２２と上鍔部２３とから主に構成されている。巻胴部２１は、Ｚ軸方向と平行な軸方向の断面卵形の円筒状に構成されており、内部に貫通孔２１ａが形成され、外周に巻回部５０が形成されている。
【００１５】
下鍔部２２は、図４に示されるようにＺ軸と直交する平板状に構成されており、この平板の上面で巻胴部２１の上端側に接続されている。下鍔部２２の下面には、Ｙ軸方向一端側及び他端側にそれぞれ位置する第一端子台３０と第二端子台４０とが規定されており、第一端子台３０と第二端子台４０との間には、第一コア１０Ａが挿入される幅広の溝である下溝２２ａがＸ軸方向に延びるように形成されている。
【００１６】
上鍔部２３は、図４に示されるようにＺ軸と直交する平板状に構成されており、この平板の下面で巻胴部２１の上端側に接続されている。上鍔部２３の上面には、下溝２２ａと平行にＸ軸方向に延び第二コア１０Ｂが挿入される幅広の溝である上溝２３ａが形成されている。上述の貫通孔２１ａは下溝２２ａ内及び上溝２３ａ内に開口している。上鍔部２３と、下鍔部２２との間であって巻胴部２１の周囲には、後述の巻回部５０が配置される巻回空間が規定されている。
【００１７】
第一端子台３０及び第二端子台４０は、上述のようにコイル部品１を図示せぬ実装面上に載置する際に実装面と当接する箇所として機能している。また第一端子台３０の上面および第二端子台４０の上面は、それぞれ下鍔部２２の上面と一致しており、上述の巻回空間を画成する壁の一部に成っている。
【００１８】
第一端子台３０は、図４に示されるように、第一リブ３１と、第二リブ３２と、ピン保持部３３とから主に構成されている。第一リブ３１は、図３に示されるように、Ｘ軸方向に延びて下鍔部２２の一部を成しており、巻胴部２１と共に上述の巻回空間を画成している。第一リブ３１において、Ｙ軸方向一端側の端部には、Ｚ軸方向に延びる溝状の通路３１ａ〜３１ｅが形成されている。通路３１ａ〜３１ｅは、第一リブ３１のＸ軸方向略中央位置においてＸ軸方向一端側から他端側にかけて略等間隔に形成されている。
【００１９】
第二リブ３２は、図２、図４に示されるように、Ｘ軸方向に延びて構成されており、下溝２２ａを画成している。図３に示されるように第二リブ３２において、Ｘ軸方向一端側及び他端側には、下側へ向けて突出する凸部３０Ａ、３０Ｂが設けられている。これら凸部３０Ａ、３０Ｂが図示せぬ実装面との当接箇所になる。
【００２０】
ピン保持部３３は、図４に示されるように、Ｚ軸方向における第二リブ３２の中間位置からＹ軸方向一端側に向けて突出して構成されており、図３に示されるように、Ｘ軸方向に延びている。ピン保持部３３においてＹ軸方向一端側に向けて突出した部分には、複数のＺ軸方向に延びる溝状の通路３３ａ〜３３ｅがＸ軸方向の一端側から他端側にかけて略等間隔に並んで形成されており、複数の通路３３ａ〜３３ｅで区切られた領域にそれぞれピン基部３３Ａ〜３３Ｆが規定されている。ピン基部３３Ａ〜３３Ｆの下端面位置には、それぞれピン端子を保持可能な保持孔が形成されており、図２に示されるようにピン基部３３Ａ、３３Ｂ、３３Ｄ、３３Ｆには、それぞれ第一ピン端子３４Ａ、３４Ｂ、３４Ｄ、３４Ｆが設けられている。第一ピン端子３４Ａ、３４Ｂ、３４Ｄ、３４Ｆには、ピン基部３３Ａ、３３Ｂ、３３Ｄ、３３Ｆへの装着箇所近傍に、後述の一次導線５１、５２の両端がそれぞれ絡げられはんだ付けされる絡げ部３４Ｇ、３４Ｈ、３４Ｊ、３４Ｌが規定されている。
【００２１】
第二端子台４０は、図４に示されるように、第一リブ４１と、第二リブ４２と、ピン保持部４３とから主に構成されている。第一リブ４１は、図５に示されるように、Ｘ軸方向他端側と一端側とに分離され第一リブ４１のＸ軸方向中央位置を中心として鏡像状に構成された他端側第一リブ４１Ａと一端側第一リブ４１Ｂとから構成されている。他端側第一リブ４１Ａは、Ｙ軸と直交する断面が略Ｌ字状を成すように構成されており、略Ｌ字状の一片がＸ軸方向に延びて下鍔部２２の一部を成しており、巻胴部２１と共に上述の巻回空間を画成している。他端側第一リブ４１Ａの略Ｌ字状の他片は、上述のＸ軸方向中央位置近傍でＺ軸方向と略平行に下側に向かって延びている。一端側第一リブ４１Ｂも略Ｌ字状に構成され、略Ｌ字状の一片が下鍔部２２の一部を成しており、巻胴部２１と共に上述の巻回空間を画成している。一端側第一リブ４１Ｂの略Ｌ字状の他片は、上述のＸ軸方向中間位置近傍でＺ軸方向と略平行に下側に向かって延びている。他端側第一リブ４１Ａと一端側第一リブ４１Ｂとの間には、上述のＸ軸方向中間位置でＺ軸方向と略平行に延びる第一通路４１ａが形成されている。第一通路４１ａのＺ軸方向上側の開口は、第一リブ４１の上述の巻回空間を画成する面（他面）に形成されている。また他端側第一リブ４１Ａと一端側第一リブ４１ＢとのＺ軸方向下端部分は、ピン保持部４３と協働して後述の第三通路４３ｂ、４３ｃを画成している。
【００２２】
第二リブ４２は、図２、図４に示されるように、Ｘ軸方向に延びて構成されており、下溝２２ａを画成している。図５に示されるように第二リブ４２において、Ｘ軸方向他端側及び一端側には、下側へ向けて突出する凸部４０Ａ、４０Ｂが設けられている。これら凸部４０Ａ、４０Ｂは、凸部３０Ａ、３０Ｂと協働してコイル部品１の図示せぬ実装面との当接箇所になる。
【００２３】
また第二リブ４２は、図２に示されるようにピン保持部４３と協働して、溝状の一端側第二通路４２ａ及び他端側第二通路４２ｂを画成している。一端側第二通路４２ａ及び他端側第二通路４２ｂは第二リブ４２に沿ってＸ軸方向と平行に延出しており、第二リブ４２のＸ軸方向中央位置でそれぞれ第一通路４１ａと連通し、第一通路４１ａを挟んでＸ軸方向一端側と他端側に位置している。また一端側第二通路４２ａ及び他端側第二通路４２ｂ内には、それぞれの溝の底面である一端側第二通路底面４２Ａ、他端側第二通路底面４２Ｂが規定されている。一端側第二通路底面４２Ａと他端側第二通路底面４２Ｂとは、Ｚ軸方向において同じ位置に配置されている。
【００２４】
ピン保持部４３は、図４に示されるように第二リブ４２のＹ軸方向他端側に一端側第二通路４２ａ又は他端側第二通路４２ｂを介して配置されており、一端側第二通路底面４２Ａ及び他端側第二通路底面４２ＢよりＺ軸方向下側に突出し、図２に示されるように第二リブ４２と平行にＸ軸方向に延びて構成されている。ピン保持部４３においてＺ軸方向下側に向けて突出した部分には、複数のＹ軸方向に延びる溝状の第三通路４３ａ〜４３ｄがＸ軸方向他端側から一端側にかけて略等間隔に並んで形成されている。第三通路４３ａ〜４３ｄは、Ｙ軸方向一端側で一端側第二通路４２ａ及び他端側第二通路４２ｂに連通すると共に、Ｙ軸方向他端側でピン保持部４３のＹ軸方向他端側端面まで延びている。また第三通路４３ａ〜４３ｄは、Ｚ軸方向における溝深さがいずれも同じ深さになるように構成されており、その溝の底面が、図４に示されるように、一端側第二通路底面４２Ａより下側に位置するように構成されている。よって第三通路４３ａ〜４３ｄは一端側第二通路底面４２Ａ及び他端側第二通路底面４２Ｂより下側（一面側）に位置している。即ち、一端側第二通路４２ａ及び他端側第二通路４２ｂは、第三通路４３ａ〜４３ｄよりＺ軸方向上方に位置している。
【００２５】
図２に示されるように、ピン保持部４３には、Ｘ軸方向他端側であって第三通路４３ａで区画される領域と、第三通路４３ａと第三通路４３ｂとで区画される領域と、第三通路４３ｃと第三通路４３ｄとで区画される領域と、Ｘ軸方向一端側であって第三通路４３ｄで区画される領域とにそれぞれピン基部４３Ａ〜４３Ｄが規定されている。ピン基部４３Ａ〜４３Ｄの下端面位置であって第三通路４３ａ〜４３ｄ近傍位置には、それぞれピン端子を保持可能な保持孔が形成されており、図２に示されるようにピン基部４３Ａ〜４３Ｄのそれぞれの保持孔には、それぞれ第二ピン端子４５Ａ〜４５Ｄが設けられている。図５に示されるように、第二ピン端子４５Ａ〜４５Ｄには、ピン基部４３Ａ〜４３Ｄへの装着箇所近傍に、後述の二次導線５３、５４の両端がそれぞれ絡げられはんだ付けされる絡げ部４５Ｅ〜４５Ｈが規定されている。
【００２６】
また図４に示されるように、ピン保持部４３のＹ軸方向他端側端面にはＹ軸方向他端側に向けて突出する掛止部４４が設けられている。掛止部４４は、図２に示されるようにそれぞれのピン基部４３Ａ〜４３Ｄに掛止部４４Ａ〜４４Ｄとして設けられており、掛止部４４Ａ〜４４Ｄは、第三通路４３ａ〜４３ｄのＹ軸方向他端側端面に沿って配置されている。掛止部４４Ａ〜４４Ｄの上面にはそれぞれ掛止面４４Ｅ〜４４Ｈが規定されている。掛止面４４Ｅ〜４４ＨはＺ軸方向と直交する同一平面上に位置しており、図４に示されるように、第三通路４３ａを画成する底面よりＺ軸方向で下側に位置している。よって第三通路４３ａ〜４３ｄは、掛止部４４Ａ〜４４ＤよりＺ軸方向上方に位置している。
【００２７】
巻回部５０は、図３に示される一次導線５１（５１Ａ、５１Ｂ）及び一次導線５２（５２Ａ、５２Ｂ）と、図５に示される二次導線５３（５３Ａ、５３Ｂ）及び二次導線５４（５４Ａ、５４Ｂ）とが、それぞれ層を形成するように巻胴部２１周りに巻回されて構成されており、図６に示されるような回路構成を成している。またそれぞれの層間及び最外周には絶縁テープ５０Ａが巻かれている。この一次導線５１、５２および二次導線５３、５４はいずれも芯線が絶縁体で被覆されて構成される被覆導線である。
【００２８】
一次導線５１の一端５１Ａは、図３に示されるように、巻回部５０から通路３１ｅおよび通路３３ｅを介して第一ピン端子３４Ｆの絡げ部３４Ｌに絡げられてはんだ付けされている。同様に他端５１Ｂは、通路３１ｄおよび通路３３ｄを介して第一ピン端子３４Ｄの絡げ部３４Ｊに絡げられはんだ付けされている。
【００２９】
一次導線５２の一端５２Ａは、巻回部５０から通路３１ｂおよび通路３３ｂを介して第一ピン端子３４Ｂの絡げ部３４Ｈに絡げられてはんだ付けされている。同様に他端５２Ｂは、通路３１ａおよび通路３３ａを介して第一ピン端子３４Ａの絡げ部３４Ｇに絡げられはんだ付けされている。
【００３０】
二次導線５３の一端５３Ａおよび他端５３Ｂは、図５に示されるように、巻回部５０から第一通路４１ａを通り、図２に示されるように一端側第二通路４２ａに引き回される。そして第三通路４３ａおよび第三通路４３ｂに一端５３Ａおよび他端５３Ｂがそれぞれ引き回れる。第三通路４３ａに引き回された一端５３Ａは、図５に示されるように、掛止部４４Ａの掛止面４４Ｅに掛けられた後に第二ピン端子４５Ａの絡げ部４５Ｅに絡げられはんだ付けされている。同様に他端５３Ｂは、掛止部４４Ｂの掛止面４４Ｆに掛けられた後に第二ピン端子４５Ｂの絡げ部４５Ｆに絡げられはんだ付けされている。
【００３１】
二次導線５４の一端５４Ａおよび他端５４Ｂは、二次導線５３と同様に巻回部５０から第一通路４１ａを貫通した後に、図２に示されるように他端側第二通路４２ｂに引き回される。そして第三通路４３ｃおよび第三通路４３ｄに一端５４Ａおよび他端５４Ｂがそれぞれ引き回れる。第三通路４３ｃに引き回された一端５４Ａは、図５に示されるように、掛止部４４Ｃの掛止面４４Ｇに掛けられた後に第二ピン端子４５Ｃの絡げ部４５Ｇに絡げられはんだ付けされている。同様に他端５４Ｂは、掛止部４４Ｄの掛止面４４Ｈに掛けられた後に第二ピン端子４５Ｄの絡げ部４５Ｈに絡げられはんだ付けされている。
【００３２】
上述のように二次導線５３、５４は、Ｚ軸方向に延びる第一通路４１ａと、Ｘ軸方向に延びる一端側第二通路４２ａ又は他端側第二通路４２ｂと、Ｙ軸方向に延びる第三通路４３ａ〜４３ｄとを経た後に更に掛止部４４に掛けられて絡げ部４５Ｅ〜４５Ｈにてはんだ付けされる。はんだ付けは溶融したはんだが溜められた槽内に第二ピン端子４５Ａ〜４５Ｄを浸漬することにより行われるが、溶融したはんだは高温であるため、絡げ部４５Ｅ〜４５Ｈから巻回部５０に向けて二次導線５３、５４の絶縁被覆が溶け進み、第一通路４１ａ〜第三通路４３ａ〜４３ｄ内に位置する二次導線５３、５４の芯線が露出する可能性がある。しかし、二次導線５３、５４が配される巻回部５０から絡げ部４５Ｅ〜Ｈまでの間の通路を、第一通路４１ａ〜第三通路４３ａ〜４３ｄと長く取っているので、二次導線５３、５４の絶縁被覆が絡げ部４５Ｅ〜４５Ｈから溶け進んだとしても、巻回部５０から二次導線５３、５４の芯線が露出した箇所までの沿面距離を確保することができ、絶縁不良の発生を抑制することができる。
【００３３】
また上述のように、第一通路４１ａ、一端側第二通路４２ａ及び他端側第二通路４２ｂ、第三通路４３ａ〜ｄは、それぞれＺ軸方向、Ｘ軸方向、Ｙ軸方向と平行な方向に形成されている。よってコイル部品１がコンパクトであっても、第一通路４１ａ〜第三通路４３ａ〜ｄの経路長を大きくすることができ、沿面距離を稼ぐことができる。
【００３４】
また上述のように、第三通路４３ａ〜４３ｄは一端側第二通路４２ａ及び他端側第二通路４２ｂよりＺ軸方向下側に位置し、掛止部４４Ａ〜４４Ｄ（掛止面４４Ｅ〜４４Ｈ）は第三通路４３ａ〜ｄよりＺ軸方向下側に位置している。また絡げ部４５Ｅ〜４５Ｈは掛止部４４Ａ〜４４Ｄ（掛止面４４Ｅ〜４４Ｈ）よりＺ軸方向下側に位置している。従って、巻回部５０から第一通路４１ａを通って延出された二次導線５３、５４は、絡げ部４５Ｅ〜４５Ｈに近づくにつれ、Ｚ軸方向下側に移動することになる。このように構成することにより、二次導線５３、５４を巻回部５０から第二ピン端子４５Ａ〜４５Ｄまでスムーズに配線することができる。
【００３５】
また例えば、第一通路４１ａ、一端側第二通路４２ａ、第三通路４３ａはそれぞれ交差するため、第一通路４１ａと一端側第二通路４２ａとの間、及び一端側第二通路４２ａと第三通路４３ａとの間には角部が形成される。この第一通路４１ａ、一端側第二通路４２ａ、第三通路４３ａに二次導線５３を配線すると、この角部に導線を掛止することができる。これにより、巻回部５０からの導線をピン端子に絡げはんだ付けをする前の状態で、導線がピン端子から外れることを抑制することができる。
【００３６】
本発明に係るコイル部品は、上述した実施の形態に限定されず、特許請求の範囲に記載された範囲で種々の改良や変形が可能である。例えば図７に示されるようなコイル部品１０１のような構成を採ってもよい。コイル部品１０１は、主な構成については実施の形態に係るコイル部品１と同じであるため、差異箇所のみ説明し、同一箇所については、符号に１００追加して説明を省略する。
【００３７】
図８に示されるように、第一端子台１３０には、Ｚ軸方向に延び、巻回部１５０（図７）が収容される空間に開口する第一通路１３１ａ、１３１ｂと、第二リブ１３２とピン保持部１３３Ａ、１３３Ｂとの間に位置して第一通路１３１ａ、１３１ｂにそれぞれ連通しＺ軸と交差する方向に延びる第二通路１３２ａ、１３２ｂと、ピン保持部１３３Ａ、１３３Ｂに沿って規定され第二通路１３２ａ、１３２ｂにそれぞれ連通し、第二通路１３２ａ、１３２ｂと交差するようにＹ軸方向に延びる第三通路１３３ａ、１３３ｂとが形成されている。また、ピン保持部１３３Ａ、１３３ＢのＹ軸方向一端側端面には、Ｙ軸方向一端側に向けて突出する掛止部１３４Ａ、１３４Ｂが設けられている。
【００３８】
第二端子台１４０には、Ｚ軸方向に延び、巻回部１５０（図７）が収容される空間に開口する第一通路１４１ａ〜１４１ｄと、第二リブ１４２とピン保持部１４３Ａ〜１４３Ｄとの間に位置して第一通路１４１ａ〜１４１ｄにそれぞれ連通しＺ軸と交差する方向に延びる第二通路１４２ａ〜１４２ｄと、ピン保持部１４３Ａ〜１４３Ｄに沿って規定され第二通路１３２ａ、１３２ｂにそれぞれ連通し、第二通路１３２ａ、１３２ｂと交差するようにＹ軸方向に延びる第三通路１４３ａ〜１４３ｄとが形成されている。また、ピン保持部１４３Ａ〜１４３ＤのＹ軸方向他端側端面には、Ｙ軸方向他端側に向けて突出する掛止部１４４Ａ〜１４４Ｄが設けられている。
【００３９】
巻回部１５０（図７）は、図９に示されるように、一次導線１５１（１５１Ａ、１５１Ｂ）と二次導線１５３（１５３Ａ、１５３Ｂ）、二次導線１５４（１５４Ａ、１５４Ｂ）とが巻胴部１２１周りに巻回されて構成されている。一次導線１５１の一端１５１Ａは、第一通路１４１ｂを通り第二通路１４２ｂおよび第三通路１４３ｂ内に配線されて掛止部１４４Ｂの図示せぬ掛止面に掛けられた後に第二ピン端子１４５Ｂに絡げられる。他端１５１Ｂは、同様に第一通路１４１ｃ、第二通路１４２ｃ、第三通路１４３ｃを通り、掛止部１４４Ｃの図示せぬ掛止面に架けられた後に第二ピン端子１４５Ｃに絡げられる。
【００４０】
二次導線１５３の一端１５３Ａは、第一通路１３１ａ、第二通路１３２ａ、第三通路１３３ａを通り、掛止部１３４Ａの図示せぬ掛止面に掛けられた後に第一ピン端子１３５Ａに絡げられる。他端１５３Ｂは、同様に第一通路１３１ｂ、第二通路１３２ｂ、第三通路１３３ｂを通り、掛止部１３４Ｂの図示せぬ掛止面に架けられた後に第一ピン端子１３５Ｂに絡げられる。
【００４１】
二次導線１５４の一端１５４Ａは、第一通路１４１ａ、第二通路１４２ａ、第三通路１４３ａを通り、掛止部１４４Ａの図示せぬ掛止面に掛けられた後に第二ピン端子１４５Ａに絡げられる。他端１５４Ｂは、同様に第一通路１４１ｄ、第二通路１４２ｄ、第三通路１４３ｄを通り、掛止部１４４Ｄの図示せぬ掛止面に架けられた後に第二ピン端子１４５Ｄに絡げられる。
【００４２】
実施の形態に係るコイル部品１では、第一通路４１ａに複数の導線を通す構成であったが、変形例に係るコイル部品１０１ではそれぞれの導線の一端および他端に対応した第一通路、第二通路、第三通路を備えているため、それぞれの導線間の短絡等の発生を抑制することができる。
【産業上の利用可能性】
【００４３】
本発明は、上述のトランスに限定されず、複数の導線が巻回され、かつ実装面に装着される端子台を備えるコイルに適用することができる。
【符号の説明】
【００４４】
１・・コイル部品  １０・・コア  １０Ａ・・第一コア  １０Ｂ・・第二コア
２０・・ボビン  ２１・・巻胴部  ２１ａ・・貫通孔  ２１ａ・・貫通孔
２２・・下鍔部  ２２ａ・・下溝  ２３・・上鍔部  ２３ａ・・上溝
３０・・第一端子台  ３０Ａ、３０Ｂ・・凸部  ３１・・第一リブ
３１ａ、３１ｂ、３１ｃ、３１ｄ、３１ｅ・・通路  ３２・・第二リブ
３２Ａ、３２Ｂ・・凸部  ３３・・ピン保持部  ３３Ａ・・ピン基部
３３ａ、３３ｂ、３３ｃ、３３ｄ、３３ｅ・・通路
３４Ａ、３４Ｂ、３４Ｄ、３４Ｆ・・第一ピン端子
３４Ｇ、３４Ｈ、３４Ｊ、３４Ｌ・・絡げ部  ４０・・第二端子台
４０Ａ、４０Ｂ・・凸部  ４１・・第一リブ
４１Ａ・・他端側第一リブ  ４１Ｂ・・一端側第一リブ  ４１ａ・・第一通路
４２・・第二リブ  ４２Ａ・・一端側第二通路底面  ４２Ｂ・・他端側第二通路底面
４２ａ・・一端側第二通路  ４２ｂ・・他端側第二通路
４３・・ピン保持部  ４３ａ、４３ｂ、４３ｃ、４３ｄ・・第三通路
４４、４４Ａ、４４Ｂ、４４Ｃ、４４Ｄ・・掛止部
４４Ｅ、４４Ｆ、４４Ｇ、４４Ｈ・・掛止面
４５Ａ、４５Ｂ、４５Ｃ、４５Ｄ・・第二ピン端子
４５Ｅ、４５Ｆ、４５Ｇ、４５Ｈ・・絡げ部  ５０・・巻回部  ５０Ａ・・絶縁テープ
５１・・一次導線  ５２・・一次導線  ５３・・二次導線  ５４・・二次導線
【図１】
2011216807.tif 000003
【図２】
2011216807.tif 000004
【図３】
2011216807.tif 000005
【図４】
2011216807.tif 000006
【図５】
2011216807.tif 000007
【図６】
2011216807.tif 000008
【図７】
2011216807.tif 000009
【図８】
2011216807.tif 000010
【図９】
2011216807.tif 000011